(57)【要約】【課題】  吸熱部材の一部を露出させるための開口部を有し、且つ、剛性が高いハウジングを備えた表示装置を提供する。【解決手段】  発光型表示器１５は、液晶表示パネル１９と、液晶表示パネル１９を透過照明する発光素子２０とを有する。吸熱部材４０は、発光型表示器１５が発した熱を吸収する。ハウジング１７は、発光型表示器１５を収容する。ハウジング１７は、吸熱部材４０の一部を露出させる開口部１７ａと、開口部１７ａを跨ぐ補強手段１７ｄとを有する。ハウジング１７は、上側ケース体５１及び下側ケース体５２を有する。補強手段１７ｄは、上側ケース体５１に設けられた第一の補強部５１ａと、下側ケース体５２に設けられた第二の補強部５２ａとを有する。吸熱部材４０は、複数の放熱フィン４０ｂを有する。【選択図】図１
2007225842.tif 000002
【特許請求の範囲】
【請求項１】
発光型表示器と、前記発光型表示器が発した熱を吸収する吸熱部材と、少なくとも前記発光型表示器を収容するハウジングと、を備えた表示装置であって、前記ハウジングは、前記吸熱部材の一部を露出させる開口部と、前記開口部を跨ぐように形成され前記開口部の近傍を補強する補強手段と、を有することを特徴とする表示装置。
【請求項２】
前記発光型表示器は、液晶表示パネルと、前記液晶表示パネルを透過照明する発光素子と、を有することを特徴とする請求項１に記載の表示装置。
【請求項３】
前記ハウジングは、上側ケース体及び下側ケース体を有することを特徴とする請求項１に記載の表示装置。
【請求項４】
前記補強手段は、前記上側ケース体に設けられた第一の補強部と、前記下側ケース体に設けられ前記第一の補強部に当接する第二の補強部と、を有することを特徴とする請求項３に記載の表示装置。
【請求項５】
前記吸熱部材は、複数の放熱フィンを有することを特徴とする請求項１に記載の表示装置。
【発明の詳細な説明】
【技術分野】
【０００１】
本発明は、表示装置に関するものであり、特に、発光型表示器が発した熱を吸収する吸熱部材を備えた表示装置に関するものである。
【背景技術】
【０００２】
従来より、液晶表示器を用いた車両用ヘッドアップディスプレイ装置が種々提案されており、例えば特許文献１に開示されている。斯かる車両用ヘッドアップディスプレイ装置１は、表示光Ｌを車両のフロントガラス或いはコンバイナと称される半透過板に投影し、虚像を表示するものである。車両用ヘッドアップディスプレイ装置１は、透光性の窓部２を備えたハウジング３に液晶表示器４及び反射鏡５を収容したものであり、液晶表示器４が発した表示光Ｌは、反射鏡５で反射されてフロントガラス或いは半透過板に投影される（図５参照）。
【特許文献１】特開２００５−３１５９３１号公報
【０００３】
液晶表示器４は、液晶表示パネル６及びこの液晶表示パネル６を透過照明する発光ダイオード等の発光素子７を有するものである。液晶表示パネル６は、透明電極膜が形成された一対の透光性基板に液晶を封入した液晶セルと、この液晶セルの前後両面に貼着された偏光板とからなるものである。ヒートシンク８は、発光素子７が発した熱を吸収するものであり、平板形状の多数の放熱フィン８ａがハウジング３の開口部３ａにおいて露出されている。
【発明の開示】
【発明が解決しようとする課題】
【０００４】
しかしながら、ハウジング３に開口部３ａが形成されているため、開口部３ａの近傍におけるハウジング３の剛性が低いという問題があった。この問題を解決するため、ハウジング３の開口部３ａを無くすことが考えられるが、ハウジング３に開口部３ａが無いとすると、ヒートシンク８がハウジング３内に密閉されることになり、ヒートシンク８の放熱性が低下する。
本発明は、ヒートシンクの一部を露出させるための開口部を有し、且つ、剛性が高いハウジングを備えた表示装置を提供するものである。
【課題を解決するための手段】
【０００５】
本発明は、請求項１に記載したように、発光型表示器１５と、前記発光型表示器１５が発した熱を吸収する吸熱部材４０，６０と、少なくとも前記発光型表示器１５を収容するハウジング１７，５７と、を備えた表示装置であって、前記ハウジング１７，５７は、前記吸熱部材４０，６０の一部を露出させる開口部１７ａ，５７ａと、前記開口部１７ａ，５７ａを跨ぐように形成され前記開口部１７ａ，５７ａの近傍を補強する補強手段１７ｄ，５７ｄと、を有するものである。
【０００６】
また、本発明は、請求項２に記載したように、前記発光型表示器１５は、液晶表示パネル１９と、前記液晶表示パネル１９を透過照明する発光素子２０と、を有するものである。
【０００７】
また、本発明は、請求項３に記載したように、前記ハウジング１７，５７は、上側ケース体５１，６１及び下側ケース体５２，６２を有するものである。
【０００８】
また、本発明は、請求項４に記載したように、前記補強手段１７ｄ，５７ｄは、前記上側ケース体５１，６１に設けられた第一の補強部５１ａ，６１ａと、前記下側ケース体５２，６２に設けられ前記第一の補強部５１ａ，６１ａに当接する第二の補強部５２ａ，６２ａと、を有するものである。
【０００９】
また、本発明は、請求項５に記載したように、前記吸熱部材４０，６０は、複数の放熱フィン４０ｂ，６０ｂを有するものである。
【発明の効果】
【００１０】
ハウジングに、吸熱部材の一部を露出させる開口部を設けたことによって、吸熱部材の放熱性が向上し、且つ、補強部を設けたことによって、ハウジングの剛性が高くなる。
【発明を実施するための最良の形態】
【００１１】
以下、添付の図面に基づいて、本発明の一実施形態について説明する。図１乃至図３は、第１実施形態を示すものである。ヘッドアップディスプレイ装置１１は車両のダッシュボード１２内に配設されている（図２参照）。ヘッドアップディスプレイ装置１１が投射する表示光Ｌはフロントガラス１３により観察者１４に反射される。観察者１４は虚像Ｖを風景と重畳させて視認することができる。
【００１２】
ヘッドアップディスプレイ装置１１は、液晶表示器１５及び反射器１６をハウジング１７に収容したものである。液晶表示器１５は、液晶表示パネル１９，発光ダイオード２０及びケース体２１を有している。ケース体２１は略角筒形状になっており、ケース体２１の前端部に液晶表示パネル１９が保持されている。ケース体２１の後端部は、後述するヒートシンクに固定されている。発光ダイオード２０は、液晶表示パネル１９の後方に配置され、液晶表示パネル１９を透過照明する。発光ダイオード２０は、回路基板２７に搭載されている。
【００１３】
反射器１６は、凹面鏡３０，保持部材３１及びステッピングモータ３２を有している。凹面鏡３０は、樹脂（例えばポリカーボネート）に金属（例えばアルミニウム）を蒸着させ反射面３０ａを形成したものである。反射面３０ａは凹面となっており、液晶表示器１５が発した表示光Ｌが拡大されて虚像Ｖが表示される。凹面鏡３０は保持部材３１に両面粘着テープにより接着されている。保持部材３１は樹脂（例えばＡＢＳ）からなるものであり、歯車部３４及び軸部３５が一体に形成されている。
【００１４】
ステッピングモータ３２の回動軸には歯車３７が取付けられており、この歯車３７は、保持部材３１の歯車部３４と噛合されている。凹面鏡３０は保持部材３１と共に回動可能な状態で支持されており、ステッピングモータ３２により凹面鏡３０を回動させ、表示光Ｌの投射方向を調整することができる。観察者１４は、押ボタンスイッチ（図示しない）を操作し表示光Ｌが目の位置に反射されるように（即ち、虚像Ｖを視認できるように）凹面鏡３０の角度を調整する。
【００１５】
４０はヒートシンクであり、このヒートシンク４０は、ハウジング１７の開口部１７ａの近傍に配設されている。ヒートシンク４０は、図示しないビスによってフランジ部４０ａでハウジング１７に固定されている。ヒートシンク４０は、シリコーンゴム等の弾性体からなる熱伝導シート４１を介して、発光ダイオード２０の熱をハウジング１７の外に放出する。ヒートシンク４０は、左右方向に伸長する平板形状の多数の放熱フィン４０ｂを有しており、この放熱フィン４０ｂが外部に露出している。４２は長方形環状のパッキング部材であり、このパッキング部材４２は、ヒートシンク４０と、ハウジング１７の開口部１７ａの間を塞ぐことによって、ハウジング１７の中に塵埃が入ることを防いでいる。
【００１６】
ハウジング１７は、上側ケース体５１と下側ケース体５２とからなるものであり、上側ケース体５１には、表示光Ｌが出射する窓部４４が設けられている。この窓部４４は、透光性樹脂（例えばアクリル）からなるものであり、湾曲形状になっている。ハウジング１７の上側ケース体５１には遮光壁１７ｃが設けられており、太陽光等の外光が液晶表示器１５に入射し虚像Ｖが見えにくくなる現象（ウォッシュアウト）を防止している。遮光壁１７ｃは平板形状になっており、上側ケース体５１の上部から斜めに垂下するように形成されている。
【００１７】
ハウジング１７には、開口部１７ａの近傍を補強する補強手段１７ｄが設けられている。補強手段１７ｄは、開口部１７ａを跨いで、開口部１７ａの上方から下方に架け渡すように形成されている。補強手段１７ｄは、上側ケース体５１に形成された断面Ｌ字形状の第一の補強部５１ａと、下側ケース体５２に形成された断面Ｌ字形状の第二の補強部５２ａとからなるものである。第一の補強部５１ａと第二の補強部５２ａは当接しており、左右に開放端を備えた通気路Ａを形成している。
【００１８】
図４は、第２実施形態を示すものである。第２実施形態は、ヒートシンク６０と、ハウジング５７の補強手段５７ｄとが第１実施形態と相違するだけであり、他の構成は第１実施形態と同様であるので、詳細な説明は省略する。
【００１９】
ハウジング５７は、上側ケース体６１と下側ケース体６２とからなるものである。ハウジング５７には、開口部５７ａの近傍を補強する補強手段５７ｄが設けられている。補強手段５７ｄは、開口部５７ａを跨いで、開口部５７ａの左方から右方に架け渡すように形成されている。補強手段５７ｄは、上側ケース体６１に形成された第一の補強部６１ａと、下側ケース体５２に形成された第二の補強部６２ａとからなるものである。第一の補強部６１ａと第二の補強部６２ａは当接しており、上下に開放端を備えた通気路Ｂを形成している。ヒートシンク６０は、上下方向に伸長する平板形状の多数の放熱フィン６０ｂを有している。
【００２０】
第１，第２実施形態においては、ハウジング１７，５７に、ヒートシンク４０，６０の放熱フィン４０ｂ，６０ｂを露出させる開口部１７ａ，５７ａが設けられており、ヒートシンク４０，６０の放熱性が高い。且つ、ハウジング１７，５７に、開口部１７ａ，５７ａを跨ぐ補強部１７ｄ，５７ｄを設けられており、ハウジング１７，５７の剛性が高い。なお、ヒートシンク４０，６０の放熱フィン４０ｂ，６０ｂの伸長方向と、補強部１７ｄ，５７ｄにて形成される通気路Ａ，Ｂの開放端の方向とを一致させたのは、ヒートシンク４０，６０を冷却する空気の流れを考慮したためである。
【図面の簡単な説明】
【００２１】
【図１】本発明の第一実施形態を示す断面図。
【図２】同上実施形態を示すヘッドアップディスプレイの概観図。
【図３】同上実施形態を示す背面図。
【図４】本発明の第二実施形態を示す背面図。
【図５】従来例を示す断面図。
【符号の説明】
【００２２】
１５    液晶表示器（発光型表示器）
１７    ハウジング
１７ａ  開口部
１７ｄ  補強手段
１９    液晶表示パネル
２０    発光ダイオード（発光素子）
４０    ヒートシンク（吸熱部材）
４０ｂ  放熱フィン
５１    上側ケース体
５１ａ  第一の補強部
５２    下側ケース体
５２ａ  第二の補強部
５７    ハウジング
５７ａ  開口部
５７ｄ  補強手段
６０    ヒートシンク（吸熱部材）
６０ｂ  放熱フィン
６１    上側ケース体
６１ａ  第一の補強部
６２    下側ケース体
６２ａ  第二の補強部
【図１】
2007225842.tif 000003
【図２】
2007225842.tif 000004
【図３】
2007225842.tif 000005
【図４】
2007225842.tif 000006
【図５】
2007225842.tif 000007